(57)【要約】【課題】バックレストの傾きを位置決めする位置決め板を必要以上に大きくすることを避けられる入浴用車椅子を提供する。【解決手段】入浴用車椅子１は、座部３０と、座部３０の後端側に設けられ、座部３０に垂直面内で回動可能に連結されるバックレスト部３１と、バックレスト部３１の座部３０に対する傾きを段階的に切り替える切り替え機構４０と、を備える。切り替え機構４０は、バックレスト部３１の後面側に配置される操作レバー部４１と、操作レバー部４１に取り付けられるロック軸４４と、座部３０の後方下部側に設けられ、後方に延びる延出部を含む位置決め板４６と、前記延出部に設けられ、ロック軸４４と係合する溝部と、を有する。ロック軸４４が位置決め板４６の後面に当接する位置に配置された場合に、座部３０の下面に当接してバックレスト部３１の前方への回動を抑止する抑止部５０を設けた。【選択図】図３
2018057739.tif 000002
【特許請求の範囲】
【請求項１】
入浴者を載せて前後方向に移動することができる車椅子であって、
座部と、
前記座部の後端側に設けられ、前記座部に垂直面内で回動可能に連結されるバックレスト部と、
前記バックレスト部の前記座部に対する傾きを段階的に切り替える切り替え機構と、
を備え、
前記切り替え機構は、
前記バックレスト部の後面側に配置される操作レバー部と、
前記操作レバー部に取り付けられるロック軸と、
前記座部の後方下部側に設けられ、後方に延びる延出部を含む位置決め板と、
前記延出部に設けられ、前記ロック軸と係合する溝部と、
を有し、
前記ロック軸が前記位置決め板の後面に当接する位置に配置された場合に、前記座部の下面に当接して前記バックレスト部の前方への回動を抑止する抑止部を設けた、入浴用車椅子。
【請求項２】
前記抑止部は、前記バックレスト部に取り付けられている、請求項１に記載の入浴用車椅子。
【請求項３】
前記抑止部は、前記バックレスト部から後方下向きに延びるアーム部から左右方向に突出する突起部である、請求項２に記載の入浴用車椅子。
【請求項４】
前記溝部は、前後方向に複数並ぶ、請求項１から３のいずれか１項に記載の入浴用車椅子。
【請求項５】
前記切り替え機構と前記抑止部とは、左右方向に離れて配置される、請求項１から４のいずれか１項に記載の入浴用車椅子。
【請求項６】
当該車椅子が入浴者を前記座部に座らせて搬送する搬送姿勢である場合に、前記ロック軸が前記位置決め板の後面に当接する、請求項１から５のいずれか１項に記載の入浴用車椅子。
【発明の詳細な説明】
【技術分野】
【０００１】
本発明は入浴用車椅子に関する。
【背景技術】
【０００２】
従来、体が不自由で介助が必要な者（以下、要介助者と記載する）を入浴させる際に使われる入浴用車椅子が知られる（例えば特許文献１参照）。特許文献１に開示される入浴用車椅子は、台車部と椅子部とを備える。椅子部は、入浴者が臀部を載せる座面部と、入浴者の背凭れとなる背当部（バックレスト）と、を備える。
【０００３】
従来の入浴用車椅子においては、背当部が座面部に対して垂直面内で回動可能に設けられている。入浴用車椅子は、入浴者を座面部に対して座らせて移送する移動姿勢から背当部を後方に倒したリクライニング姿勢に切り換えることができる。背当部の後面側（入浴者の背中が接する側と反対側）には、リクライニング用の操作レバーが設けられる。操作レバーの先端に設けられるロック軸が位置決め板に設けられる複数の溝のいずれと係合するかによって、背当部の座面部に対する角度は決定される。
【０００４】
従来の入浴用車椅子においては、背当部の後面にハンドルが設けられる。介助者は、入浴用車椅子の後方からハンドルを押して入浴用車椅子を前進させる。入浴用車椅子を後退させる場合には、入浴者はハンドルを手前に引っ張る。
【先行技術文献】
【特許文献】
【０００５】
【特許文献１】特開２０１３−２０２２５３号公報
【発明の概要】
【発明が解決しようとする課題】
【０００６】
従来の入浴用車椅子においては、入浴者を座面部に座らせて搬送する際の走行操作によって、位置決め板の溝部分にロック軸から力が加わる。ロック軸からの力が溝部分に繰り返し加わると、位置決め板が変形する可能性がある。特に、車輪が固定された状態で、入浴用車椅子を前後する力が加えられると、位置決め板が変形する可能性が大きくなる。このために、従来の入浴用車椅子では、位置決め板を大きく堅牢に構成している。
【０００７】
位置決め板が大きくなると、例えば、入浴用車椅子が入れられる浴槽のサイズを大きくする必要が生じる場合がある。このために、位置決め板は、できる限り小さいことが好ましい。また、リクライニング角度が増やされる場合、位置決め板のサイズを大きくする必要がある。堅牢で、リクライニング角度を複数とできる車椅子用の位置決め板は、必要以上に大きくなる可能性がある。
【０００８】
以上の点に鑑みて、本発明の目的は、バックレストの傾きを決める位置決め板を必要以上に大きくすることを避けられる入浴用車椅子を提供することである。また、本発明の他の目的は、バックレストの傾きを決める位置決め板の変形を起り難くできる入浴用車椅子を提供することである
【課題を解決するための手段】
【０００９】
上記目的を達成するために本発明の入浴用車椅子は、入浴者を載せて前後方向に移動することができる車椅子であって、座部と、前記座部の後端側に設けられ、前記座部に垂直面内で回動可能に連結されるバックレスト部と、前記バックレスト部の前記座部に対する傾きを段階的に切り替える切り替え機構と、を備え、前記切り替え機構は、前記バックレスト部の後面側に配置される操作レバー部と、前記操作レバー部に取り付けられるロック軸と、前記座部の後方下部側に設けられ、後方に延びる延出部を含む位置決め板と、前記延出部に設けられ、前記ロック軸と係合する溝部と、を有し、前記ロック軸が前記位置決め板の後面に当接する位置に配置された場合に、前記座部の下面に当接して前記バックレスト部の前方への回動を抑止する抑止部を設けた構成（第１の構成）になっている。
【００１０】
本構成によれば、ロック軸が位置決め板の後面に当接する場合においてバックレスト部の前方への回動を抑止する抑止部が設けられたために、ロック軸が位置決め板の外側に位置する場合にも、バックレスト部の座部に対する傾きを一定に維持することができる。このために、従来に比べて、位置決め板に設ける溝（ロック軸と係合する溝）の数を減らすことができ、位置決め板のサイズを小さくすることができる。また、本構成においては、ロック軸が位置決め板の外側に位置する場合の入浴用車椅子の姿勢を搬送姿勢とすれば、従来のように位置決め板の溝部に過度の力が加わることを避けられ、位置決め板の変形を起り難くできる。
【００１１】
上記第１の構成の入浴用車椅子において、前記抑止部は、前記バックレスト部に取り付けられている（第２の構成）のが好ましい。本構成によれば、抑止部を簡単な構造にできる。
【００１２】
上記第２の構成の入浴用車椅子において、前記抑止部は、前記バックレスト部から後方下向きに延びるアーム部から左右方向に突出する突起部である（第３の構成）のが好ましい。本構成によれば、抑止部の構造が簡単であり、入浴用車椅子の製造コストを安価に抑えることができる。
【００１３】
上記第１から第３のいずれかの構成の入浴用車椅子において、前記溝部は、前後方向に複数並ぶ構成（第４の構成）であってよい。本構成によれば、入浴用車椅子を複数角度のリクライニング姿勢に変えることができ、入浴者の介護度、健康状態に合わせた入浴介助を行うことができる。
【００１４】
上記第１から第４のいずれかの構成の入浴用車椅子において、前記切り替え機構と前記抑止部とは、左右方向に離れて配置される（第５の構成）のが好ましい。前記切り替え機構と前記抑止部とは、一方が左側端部寄りに配置され、他方が右側端部寄りに配置されるのがより好ましい。本構成によれば、入浴用車椅子の左右のうちの一方側に部品が集中することを避けることができ、入浴用車椅子の構造が複雑になることを避けられる。
【００１５】
上記第１から第５のいずれかの構成の入浴用車椅子は、当該車椅子が入浴者を前記座部に座らせて搬送する搬送姿勢である場合に、前記ロック軸が前記位置決め板の後面に当接する構成（第６の構成）であるのが好ましい。本構成によれば、従来のように位置決め板の溝部に過度の力が加わることを避けられ、位置決め板の変形を起り難くできる。
【発明の効果】
【００１６】
本発明によれば、バックレストの傾きを決める位置決め板を必要以上に大きくすることを避けられる入浴用車椅子を提供できる。また、本発明によれば、バックレストの傾きを決める位置決め板の変形を起り難くできる入浴用車椅子を提供できる。
【図面の簡単な説明】
【００１７】
【図１】本発明の実施形態に係る入浴用車椅子の構成を示す概略側面図
【図２】本発明の実施形態に係る入浴用車椅子が備えるバックレスト部の動きを説明するための模式図
【図３】本発明の実施形態に係る入浴用車椅子の構成を示す概略後面図
【図４】本発明の実施形態に係る入浴用車椅子が備える切り替え機構のロック軸周りの構成を示す概略断面図
【図５】入浴用車椅子が搬送姿勢からリクライニング姿勢に切り換えられた場合の切り替え機構の状態の一例を示す概略断面図
【図６】入浴用車椅子が搬送姿勢である場合に、バックレスト部に加わる力の方向の違いによって切り替え機構の作用が異なることを説明する模式図
【図７】本発明の実施形態に係る入浴用車椅子が備える抑止部の構成を示す概略側面図
【図８】入浴用車椅子が搬送姿勢である場合に、バックレスト部に加わる力の方向の違いによって抑止部の作用が異なることを説明する模式図
【発明を実施するための形態】
【００１８】
以下、本発明の実施形態について、図面を参照しながら詳細に説明する。本発明の入浴用車椅子は、要介助者を入浴させる際に使用される。本明細書では、入浴用車椅子に乗る入浴者を基準に、上下、前後、及び、左右の表現を用いる。
【００１９】
図１は、本発明の実施形態に係る入浴用車椅子１の構成を示す概略側面図である。入浴用車椅子１は、入浴者を乗せて前後方向に移動することができる車椅子である。入浴用車椅子１は、例えば、入浴者を浴槽まで搬送するために使用される。また、入浴用車椅子１は、例えば、その全体又は一部が浴槽に入れられて、入浴者を浴槽内の湯に浸からせるために使用される。図１に示すように、入浴用車椅子１は、台車部２と椅子部３とを備える。
【００２０】
台車部２は、車輪２０を有し、床面上を移動可能である。本実施形態では、車輪２０は自在に向きを変えるキャスタである。台車部２は、前後方向だけでなく左右方向にも移動できる。台車部２は、下フレーム部２１を有する。車輪２０は、下フレーム部２１の四隅に配置される。台車部２は、下フレーム部２１の前方中央部に配置される支持ロッド２２を有する。支持ロッド２２は上方に延びる。台車部２は、支持ロッド２２の上端に配置されて支持ロッド２２に支持される上フレーム部２３を有する。
【００２１】
椅子部３は、台車部２に支持される。椅子部３は、座部３０と、バックレスト部３１と、レッグレスト部３２と、フットレスト部３３とを有する。
【００２２】
座部３０は、入浴者の臀部が載せられる。座部３０は、詳細には、座部フレーム３００と、座面パッド３０１とを有する。座部フレーム３００は、上フレーム部２３に支持される。座面パッド３０１は、座部フレーム３００の上側に取り付けられる。座面パッド３０１は、クッション性の部材で構成される。
【００２３】
バックレスト部３１は、座部３０の後端側に設けられ、斜め上方に延びる。バックレスト部３１は、座部３０に垂直面内で回動可能に連結される。バックレスト部３１は、入浴者の背凭れとなる。バックレスト部３１は、バックレスト部フレーム３１０と、バックレストパッド３１１とを有する。バックレスト部フレーム３１０は、座部フレーム３００にバックレスト部用回動軸３１２を介して回動可能に連結される。バックレスト部用回動軸３１２は、左右方向（図１において紙面と垂直な方向）に延び、本実施形態においてはバックレスト部フレーム３１０に設けられる。なお、バックレスト部用回動軸３１２は、座部フレーム３００に設けられてもよい。バックレストパッド３１１は、バックレスト部フレーム３１０の前面側に取り付けられる。バックレストパッド３１１は、クッション性の部材で構成される。
【００２４】
レッグレスト部３２は、座部３０に垂直面内で回動可能に連結される。レッグレスト部３２は、座部３０の前端側に設けられ、斜め下方に延びる。レッグレスト部３２は、入浴者の脚が載せられる。レッグレスト部３２は、レッグレスト部フレーム３２０と、レッグレストパッド３２１とを有する。レッグレスト部フレーム３２０は、座部フレーム３００にレッグレスト部用回動軸３２２を介して回動可能に連結される。レッグレスト部用回動軸３２２は、左右方向に延び、本実施形態においては座部フレーム３００に設けられる。なお、レッグレスト部用回動軸３２２は、レッグレスト部フレーム３２０に設けられてもよい。レッグレストパッド３２１は、レッグレスト部フレーム３２０の前面側に取り付けられる。レッグレストパッド３２１は、クッション性の部材で構成される。
【００２５】
フットレスト部３３は、レッグレスト部３２に垂直面内で回動可能に連結される。フットレスト部３３は、レッグレスト部３２の下端部側に設けられる。詳細には、フットレスト部３３は、左右に１つずつ合計２つ設けられる。各フットレスト部３３には、入浴者の左右いずれかの脚の、足首から先の部分が載せられる。各フットレスト部３３は、レッグレスト部３２に垂直面内で回動可能に支持される回動部材３３０を介してレッグレスト部３２に連結される。回動部材３３０は、回動軸３３０ａを中心として回動する。回動軸３３０ａは、左右方向に延びる棒状部材である。フットレスト部３３は、例えば樹脂によって構成される。
【００２６】
その他、椅子部３は、バックレスト部３１の上側に取り付けられるヘッドレスト部３４を有する。椅子部３は、バックレスト部フレーム３１０に垂直面内で回動可能に支持される一対の手すり３５を有する。一対の手すり３５は、左右に設けられる。椅子部３は、一対の手すりより上側で、バックレスト部フレーム３１０に支持される一対のサイドサポート３６を有する。一対のサイドサポート３６は、左右に設けられ、入浴者の上肢がバックレスト部３１から脱落するのを防止する。椅子部３は、バックレスト部３１の後面側の上部に設けられるハンドル３７を有する。ハンドル３７は、入浴用車椅子１を走行させる介助者によって使用される。
【００２７】
図２は、本発明の実施形態に係る入浴用車椅子１が備えるバックレスト部３１の動きを説明するための模式図である。図２（ａ）に示す入浴用車椅子１の姿勢は、図１に示す姿勢と同じであり、主に、入浴者を座部３０に座らせて搬送する際に使用される。本明細書では、以下、図２（ａ）の姿勢を搬送姿勢という。
【００２８】
図２（ｂ）は、入浴用車椅子１の姿勢がリクライニング姿勢である状態を示す。リクライニング姿勢は、搬送姿勢からバックレスト部３１を後方に倒した姿勢である。なお、本実施形態では、入浴用車椅子１は、複数角度のリクライニング姿勢に切り換えることができる。図２（ｂ）は、複数角度のリクライニング姿勢のうちの一つを示す。リクライニング姿勢は、例えば入浴者を浴槽の湯に浸からせる際や、入浴者の洗身を行う際に使用される。
【００２９】
搬送姿勢からリクライニング姿勢への切り替えを行うために、入浴用車椅子１は切り替え機構を備える。切り替え機構は、バックレスト部３１の座部３０に対する傾きを段階的に切り替える。本実施形態では、入浴用車椅子１は、切り替え機構によって、搬送姿勢も含めて４段階の切り替えを行うことができる。ただし、切り替え機構による切り替えは、複数段階であればよく、４段階に限定されない。
【００３０】
搬送姿勢（図２（ａ）の状態）から切り替え機構を用いてリクライニング姿勢にされる際には、バックレスト部３１はバックレスト部用回動軸３１２を中心として回動する。詳細には、バックレスト部３１は、後方に倒れる方向に回動する。バックレスト部３１を倒すことができる角度は、切り替え機構の構成によって決まる。図２（ｂ）は、バックレスト部３１が後方に向けて最も大きく倒された状態を示す。リクライニング姿勢から搬送姿勢に戻すこともできる。
【００３１】
なお、本実施形態では、レッグレスト部３２は、座部３０に対するバックレスト部３１の傾き変更に連動して垂直面内で回動する。また、フットレスト部３３は、レッグレスト部３２の回動に連動して、レッグレスト部３２の回動方向と反対方向に回動する。これらの回動機構は公知であるので、その詳細な説明は省略する
【００３２】
図３は、本発明の実施形態に係る入浴用車椅子１の構成を示す概略後面（背面）図である。図３に示すように、入浴用車椅子１は、上述の切り替え機構４０を右側後部に備える。切り替え機構４０は、バックレスト部３１の後面側に配置される操作レバー部４１を有する。操作レバー部４１は、バックレスト部フレーム３１０に沿って斜め上下方向に延びる棒状部材である。操作レバー部４１の上部側は折れ曲がっており、逆Ｌ字状である。操作レバー部４１の下側端部には、後方から平面視して略逆Ｕ字状の支持片４２が取り付けられる。操作レバー部４１は、支持片４２より上側に後方に突出する突出部４１ａを有する。支持片４２と突出部４１ａとの間においては、圧縮コイルバネ４３が、操作レバー部４１に遊嵌される。
【００３３】
切り替え機構４０は、操作レバー部４１に取り付けられるロック軸４４を有する。本実施形態では、ロック軸４４は支持片４２に支持されている。すなわち、ロック軸４４は、支持片４２を介して操作レバー部４１に取り付けられている。ロック軸４４は左右方向に延びる棒状部材である。
【００３４】
図４は、本発明の実施形態に係る入浴用車椅子１が備える切り替え機構４０のロック軸４４周りの構成を示す概略断面図である。図４は、図３のＡ−Ａ位置における断面図である。図４は、入浴用車椅子１が搬送姿勢である場合の切り替え機構４０の状態を示す。
【００３５】
図３及び図４に示すように、切り替え機構４０は、左右方向に対向する一対のストッパー片４５を有する。一対のストッパー片４５は、バックレスト用回動軸３１２に固定され、バックレスト用回動軸３１２とともに回動する。一対のストッパー片４５のそれぞれには、長孔４５ａが形成される。ロック軸４４の左右方向の両端部は、それぞれ、長孔４５ａに挿入されている。ロック軸４４の左右の両端には、ロック軸４４が長孔４５ａから抜けることを防止する抜け止め（不図示）が設けられる。ロック軸４４は、圧縮コイルバネ４３の付勢力によって、長孔４５ａの一端部に押し付けられている。
【００３６】
図４に示すように、切り替え機構４０は、位置決め板４６と溝部４７とを有する。位置決め板４６は、座部３０の後方下部側に設けられ、後方に延びる延出部４６ａを含む。位置決め板４６は、座部フレーム３００の下部に固定され、左右方向からの平面視において略Ｌ字状に設けられる。溝部４６は、延出部４６ａに設けられる。本実施形態では、溝部４６は前後方向に複数並ぶ。溝部４６は、ロック軸４４と係合する。
【００３７】
図５は、入浴用車椅子１が搬送姿勢からリクライニング姿勢に切り換えられた場合の切り替え機構４０の状態の一例を示す概略断面図である。上述のように、本実施形態では、入浴用車椅子１は複数角度のリクライニング姿勢に切り替えることができる。図５は、複数あるリクライニング姿勢のうちの一つに切り替えられた場合の状態を示す。
【００３８】
図４及び図５を参照しながら、切り替え機構４０の動きを説明する。搬送姿勢では、図４に示すように、ロック軸４４が位置決め板４６の後面４６ｂに当接する。このために、バックレスト部３１は後方に倒れない。図４の状態から、圧縮コイルバネ４３の付勢力に抗して操作レバー部４１が引き上げられると、ロック軸４４が長孔４５ａに沿って上方に移動し、ロック軸４４と位置決め板４６の後面４６ｂとの接触が解除される。これにより、バックレスト部３１は後方に倒すことが可能になる。操作レバー部４１の引き上げは、介助者によって行われる。
【００３９】
介助者が、バックレスト部３１を後方に倒しながら、操作レバー部４１の引き上げを解除する。これにより、ロック軸４４が長孔４５ａの一端部に移動しようとし、複数の溝部４７のいずれかと係合する。図５は、搬送姿勢からバックレスト部３１を後方に倒す角度が一番小さい場合の切り替え機構４０の状態を示している。図５に示す状態では、ロック軸４４が溝部４７に嵌っているために、バックレスト部３１は回動させることができない。
【００４０】
図６は、入浴用車椅子１が搬送姿勢である場合に、バックレスト部３１に加わる力の方向の違いによって切り替え機構４０の作用が異なることを説明する模式図である。図６（ａ）は、バックレスト部３１に後向きの力Ｆが加わることを想定した図である。例えば、介助者がハンドル３７を握って、入浴用車椅子１を後退させるときに、バックレスト部３１に後向きの力が加わる。図６（ｂ）は、バックレスト部３１に前向きの力Ｆが加わることを想定した図である。例えば、介助者がハンドル３７を握って、入浴用車椅子１を前進させるときに、バックレスト部３１に前向きの力が加わる。
【００４１】
図６（ａ）に示すように、バックレスト部３１に後向きの力Ｆが加わる場合、ロック軸４４は、位置決め板４６の後面４６ａに向けて動こうとする。搬送姿勢では、ロック軸４４と位置決め板４６の後面４６ａは当接しているために、バックレスト部３１は回動しない。一方、図６（ｂ）に示すように、バックレスト部３１に前向きの力Ｆが加わる場合、ロック軸４４は、位置決め板４６の後面４６ａから離れる方向に動こうとする。ロック軸４４の動きを阻止する物がないために、バックレスト部３１は前方に回動しようとする。ただし、介助者が入浴用車椅子１を前進させようとした場合に、バックレスト部３１が前方に回動しては都合が悪い。このために、入浴用車椅子１には、バックレスト部３１の前方への回動を抑止する抑止部が設けられている。
【００４２】
図７は、本発明の実施形態に係る入浴用車椅子１が備える抑止部５０の構成を示す概略側面図である。なお、図７は、入浴用車椅子１が搬送姿勢である場合の状態を示す図である。図３及び図７を参照して、抑止部５０の詳細について説明する。図３に示すように、抑止部５０は、入浴用車椅子１の左側後部に設けられている。すなわち、抑止部５０と切り替え機構４０とは、左右方向に離れて配置される。抑止部５０は、バックレスト部３１に取り付けられている。
【００４３】
本実施形態では、抑止部５０は、バックレスト部３１から後方下向きに延びるアーム部５１に設けられる。抑止部５０は、アーム部５１から左右方向に突出する突起部である。本実施形態では、アーム部５１は、プレート状であり、バックレスト部用回動軸３１２に固定されている。すなわち、アーム部５１は、バックレスト部用回動軸３１２とともに回動する。なお、本実施形態では、アーム部５１は、後方下向きに延びる部分５１ａの先に、先端が前向きに延びる湾曲した部分５１ｂを有する。この湾曲した部分５１ｂは無くてもよい。本実施形態では、突起部５０は左向きに突出する。突起部５０は、アーム部５１の後方下向きに延びる部分５１ａに設けられる。
【００４４】
抑止部５０は、入浴用車椅子１が搬送姿勢である場合に、座部３０の下面に当接する。換言すると、抑止部５０は、ロック軸４４が位置決め板４６の後面４６ａに当接する位置に配置された場合に、座部３０の下面に当接する。本実施形態では、抑止部５０は、座部フレーム３００の下面に当接する。
【００４５】
図８は、入浴用車椅子１が搬送姿勢である場合に、バックレスト部３１に加わる力の方向の違いによって抑止部５０の作用が異なることを説明する模式図である。図８（ａ）は、バックレスト部３１に前向きの力Ｆが加わることを想定した図である。図８（ｂ）は、バックレスト部３１に後向きの力Ｆが加わることを想定した図である。
【００４６】
図８（ａ）に示すように、バックレスト部３１に前向きの力Ｆが加わる場合、抑止部５０は、座部フレーム３００の下面に向けて動こうとする。搬送姿勢では、抑止部５０と座部フレーム３００の下面とが当接しているために、バックレスト部３１は回動しない。一方、図８（ｂ）に示すように、バックレスト部３１に後向きの力Ｆが加わる場合、抑止部５０は、座部フレーム３００の下面から離れる方向に動こうとする。抑止部５０の動きを阻止する物がないために、バックレスト部３１は後方に回動しようとする。ただし、上述のように、搬送姿勢では、ロック軸４４が位置決め板４６の後面４６ａと当接しているために、バックレスト部３１は回動しない。ロック軸４４と位置決め板４６との係合が解除されれば、バックレスト部３１を後方に倒すことができる。
【００４７】
以上からわかるように、入浴用車椅子１が搬送姿勢である場合に、介助者が入浴用車椅子１を前進させようとすると、抑止部５０によってバックレスト部３１の前方への回動が阻止される。また、介助者が入浴用車椅子１を後退させようとすると、切り替え機構４０のロック軸４４によってバックレスト部３１の後方への回動が阻止される。このために、入浴用車椅子１においては、搬送姿勢において前進する方向の力が加えられる場合も、後退する方向の力が加えられる場合も、バックレスト部３１が勝手に回動することはない。
【００４８】
本実施形態では、搬送姿勢において、ロック軸４４が位置決め板４６の外側に位置する。このために、搬送姿勢においても、ロック軸と位置決め板の溝部とが係合する構成としていた従来の構成に比べて、溝部の数を減らすことができ、位置決め板４６のサイズを小さくすることができる。また、搬送姿勢において、ロック軸４４が溝部４７外に配置されるので、入浴用車椅子１に前進及び後退の力が繰り返し与えられても、溝部４７が変形するという事態が発生しない。このために、位置決め板４６を必要以上に堅牢にする必要がなく、位置決め板４６のサイズを小型化することができる。
【００４９】
＜変形例等＞
以上に示した実施形態は、本発明の例示にすぎない。以上に示した実施形態の構成は、本発明の技術的思想を超えない範囲で適宜変更されてよい。複数の変形例は、可能な範囲で組み合わせて実施されてよい。
【００５０】
以上に示した実施形態では、切り替え機構４０が入浴用車椅子１の右側、抑止部５０が入浴用車椅子１の左側に配置される構成としたが、これは例示にすぎない。例えば、これらの位置は反対であってもよい。また、場合によっては、これらは同じ側に設けられてもよい。
【００５１】
また、以上においては、入浴用車椅子１の台車部２と椅子部３とは分離できない構成とした。しかし、これは例示であり、本発明は、台車部と椅子部とが分離可能な車椅子にも適用可能である。
【符号の説明】
【００５２】
１        入浴用車椅子
３０      座部
３１      バックレスト部
４０      切り替え機構
４１      操作レバー部
４４      ロック軸
４６      位置決め板
４６ａ    突出部
４７      溝部
４６ｂ    位置決め板の後面
５０      抑止部（突起部）
５１      アーム部
【図１】
2018057739.tif 000003
【図２】
2018057739.tif 000004
【図３】
2018057739.tif 000005
【図４】
2018057739.tif 000006
【図５】
2018057739.tif 000007
【図６】
2018057739.tif 000008
【図７】
2018057739.tif 000009
【図８】
2018057739.tif 000010